Podtech/llm-jp-corpus-v4-ja_patent huggingface dataset:
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
流体制御及び処理システム（１）であって、
カートリッジ（２）と、
該カートリッジ（２）を操作するように設けられた器具と、
前記カートリッジ（２）に収容された少なくとも１つのシリンダボディであって、該少なくとも１つのシリンダボディは、シリンダと、該シリンダと流体接続した少なくとも１つの流体ポートとを含む、少なくとも１つのシリンダボディと、
前記シリンダ内の流体体積を変化させるように前記シリンダ内で可動なピストン（１１）と、を備え、
前記流体制御及び処理システム（１）は、さらに、少なくとも１つの流体流を駆動するための排出ポートを有し、各前記排出ポートは、前記器具が前記カートリッジ（２）を操作しているときに、前記シリンダボディの回転によって少なくとも１つの流体ポートと接続可能であるように位置決めされており、
前記器具は、ピストンドライバ（８）を有しており、該ピストンドライバ（８）は、前記ピストン（１１）を駆動し且つ前記カートリッジ（２）が前記器具によって操作されているときに前記ピストンドライバ（８）に沿って延びる軸線Ａを中心に少なくとも部分的に回転するように設計されており、
前記流体制御及び処理システム（１）は、
前記ピストンドライバ（８）に沿って延びる軸線Ａを中心に前記ピストンドライバ（８）が前記ピストン（１１）に対して第１の方向に回転させられたときに前記ピストン（１１）を前記ピストンドライバ（８）に固定するための可逆式の固定手段であって、該可逆式の固定手段は、前記ピストンドライバ（８）が前記ピストン（１１）に対して前記第１の方向とは反対の第２の方向に回転させられたときに前記ピストン（１１）を前記ピストンドライバ（８）から解除するように設計されており、これにより、前記ピストン（１１）の移動が前記ピストンドライバ（８）によって制御されるようになっている、可逆式の固定手段と、
前記軸線Ａを中心に前記シリンダボディを回転させるための、前記器具を構成するシリンダドライバ（２０）を含む回転手段と、をさらに備えることを特徴とする、流体制御及び処理システム（１）。
【請求項２】
前記固定手段は、少なくとも２つの部分、すなわち第１の部分（１３）と第２の部分（１４）とを有し、前記ピストン（１１）は前記第１の部分（１３）に取り付けられており、前記ピストンドライバ（８）は前記第２の部分（１４）を含む、請求項１記載の流体制御及び処理システム（１）。
【請求項３】
前記固定手段が前記ピストン（１１）を前記ピストンドライバ（８）に固定しているとき、前記軸線Ａに沿った方向での前記ピストンドライバ（８）の直線移動は、同じ方向での前記ピストン（１１）の直線移動を生ぜしめる、請求項１又は２記載の流体制御及び処理システム（１）。
【請求項４】
前記シリンダドライバ（２０）は、前記シリンダボディと回転継手を形成するように設計されている、請求項１から３までのいずれか１項記載の流体制御及び処理システム（１）。
【請求項５】
前記固定手段は、前記ピストンドライバ（８）が前記ピストン（１１）に対して第１の方向に回転させられたときに前記ピストン（１１）を前記ピストンドライバ（８）に固定するように設計されており、前記ピストンドライバ（８）が前記ピストン（１１）に対して前記第１の方向とは反対の第２の方向に回転させられたときに前記ピストン（１１）を前記ピストンドライバ（８）から解除するように設計されている、請求項１から４までのいずれか１項記載の流体制御及び処理システム（１）。
【請求項６】
前記固定手段は、バヨネットマウントを含む、請求項１から５までのいずれか１項記載の流体制御及び処理システム（１）。
【請求項７】
前記ピストンドライバ（８）と前記回転手段とをインターロックするためのインターロッキング手段をさらに備え、これにより、前記ピストンドライバ（８）と前記ピストン（１１）とが前記固定手段によって固定されているときに、前記シリンダボディの回転が前記ピストンドライバ（８）によって制御可能である、請求項１から６までのいずれか１項記載の流体制御及び処理システム（１）。
【請求項８】
前記インターロッキング手段は、前記第２の方向での前記ピストンに対する前記ピストンドライバ（８）の回転を防止するように設計されている、請求項７記載の流体制御及び処理システム（１）。
【請求項９】
前記インターロッキング手段と前記ピストンドライバ（８）との間のプリズム接続と、前記回転手段と前記インターロッキング手段との間のクランプ継手とをさらに備える、請求項７又は８記載の流体制御及び処理システム（１）。
【請求項１０】
前記インターロッキング手段は、さらに、ガイドブシュ（２４）を含み、これにより、前記ピストンドライバ（８）が前記ピストン（１１）に固定され、前記シリンダドライバ（２０）が前記シリンダボディと接続されたときに、前記ガイドブシュ（２４）の回転は、前記ピストンドライバ（８）と、前記シリンダドライバ（２０）との同時回転を生ぜしめる、請求項７から９までのいずれか１項記載の流体制御及び処理システム（１）。
【請求項１１】
少なくとも１つのピストン（１１）を備え、請求項１から１０までのいずれか１項記載の流体制御及び処理システム（１）において使用されるように設計されていることを特徴とする、カートリッジ（２）。
【請求項１２】
ピストンドライバ（８）を備え、請求項１から１０までのいずれか１項記載の流体制御及び処理システム（１）において使用されるように設計されていることを特徴とする、器具。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
ベローズによって作動される駆動から構成される、装置を付勢するための駆動システムであって、上記ベローズ作動駆動は貯蔵部内の流体の温度差による流体膨張および収縮によって直線的な前後運動を提供し、貯蔵部はベローズと流体接触してなることを特徴とする駆動システム。
【請求項２】
上記装置は時計、医療装置、移植可能な医療装置、心臓律動管理装置、補聴器、医療用マイクロインジェクタ、センサーやバイオメトリック送信機からなる群から選択されることを特徴とする請求項１に記載の駆動システム。
【請求項３】
時計を駆動するための駆動システムであって、温度差によって膨張または収縮する流体を収容するＵ形状の密閉された貯蔵部と、上記Ｕ形状の貯蔵部のＵ形状の部分に配置され、貯蔵部と流体接続されて流体の膨張または収縮に応答して軸方向動作を提供するベローズとから構成される駆動システム。
【請求項４】
上記流体は、少なくとも部分的にフッ素化された流体であることを特徴とする請求項３に記載の駆動システム。
【請求項５】
上記流体は、完全にフッ素化された化合物であることを特徴とする請求項３に記載の駆動システム。
【請求項６】
スライダーおよび第１直径を有する第１ハーフホイールからさらに構成され、上記スライダーを介してベローズはベローズによる直線運動を伝達することを特徴とする請求項３に記載の駆動システム。
【請求項７】
第２直径を有する第２ハーフホイールからさらに構成され、第２ハーフホイールは上記第１ハーフホイールによって駆動され、倍増された運動（ｍｕｌｔｉｐｌｉｅｄ  ｍｏｖｅｍｅｎｔ）を提供するために、上記第１ハーフホイールの直径と第２ハーフホイールの直径の直径差によって運動が倍増されることを特徴とする請求項６に記載の駆動システム。
【請求項８】
上記倍増された運動は、スパイラルをリチャージするために用いられることを特徴とする請求項７に記載の駆動システム。
【請求項９】
上記増加された運動は、電流発生器を作動するために用いられることを特徴とする請求項７に記載の駆動システム。
【請求項１０】
運動伝達機構からさらに構成され、上記運動伝達機構はカムシステム、ｇｅｎｏｕｉｌｌｅｒｅシステム、半月ギヤシステムおよびマルチレバーシステムから構成される群から選択されることを特徴とする請求項１に記載の駆動システム。
【請求項１１】
上記運動伝達機構は、上記ベローズによって作動されるピストンからさらに構成され、上記ピストンは軸方向の直線的な前後運動を提供することを特徴とする請求項１０に記載の駆動システム。
【請求項１２】
上記ピストンの軸方向運動を制御するピストンガイドからさらに構成されることを特徴とする請求項１１に記載の駆動システム。
【請求項１３】
自動巻き時計であって、ケーシング、ムーブメント、上記ムーブメントを駆動する主バネとケーシングにおける主バネの巻き機構、および巻き機構を駆動するためのエネルギー源から構成され、上記エネルギー源は、Ｃ形状の密閉された貯蔵部、温度差に応じて膨張および収縮する貯蔵部内の流体および貯蔵部と流体接続することで流体の膨張および収縮に応答した運動を提供するベローズからなることを特徴とする自動巻き時計。
【請求項１４】
複数のベローズからさらに構成され、少なくとも２つのベローズは相互に対して１°以上かつ約１８０°以下の角度で配置されることを特徴とする請求項１３の自動巻き時計。
【請求項１５】
複数のベローズからさらに構成され、少なくとも２つのベローズは相互に対して４５°以上かつ９０°以下の角度で配置され、少なくとも２つのベローズは相互に異なる寸法を有することを特徴とする請求項１３の自動巻き時計。
【請求項１６】
動作温度差の範囲で時計を駆動する方法であって、ベローズと流体接続する密閉されて流体で満たされた貯蔵部を提供し、その内部でベローズが可変伝導速度システムを作動する貯蔵部の中の流体の膨張および収縮のために温度差を提供することから構成されることを特徴とする方法。
【請求項１７】
上記ベローズによって作動する可変伝導速度システムは、上記時計がシステムを破壊することなく大きな温度範囲差に耐えると共に、動作温度差周りで十分な伝達率速度を維持することを可能とすることを特徴とする請求項１６に記載の方法。
【請求項１８】
複数のギヤサブアセンブリから構成され、上記ギヤサブアセンブリはロッドの軸の反対側に配置され、ロッドと回転式に係合し、ロッド運動を得るためにロッドはギヤサブアセンブリに関連して双方向かつ周期的に移動し、ロッドの運動は温度差によって生じる熱膨張および収縮のための手段によって駆動されることを特徴とする時計の機能を駆動するための機械サブシステム。
【請求項１９】
上記ロッドは平角ロッドであることを特徴とする請求項１８に記載のサブシステム。
【請求項２０】
上記ロッドの運動は約１〜２０ミクロンの範囲であることを特徴とする請求項１８に記載のサブシステム。
【請求項２１】
使用者に装着された時計の機能を駆動するための流体機械サブシステムであって、ロッドと、流体を収容してベローズによって作動される本体部とから構成され、上記ロッドは上記本体部からオフセットに構成され、本体部はベースと接続され、ベースは伝熱部品と接続し、ロッドは、伝熱部品の領域内のみで移動するように、最小位置から公称位置を経て最大位置に至るまでの温度変化に応じた位置範囲内において軸方向の前後運動が可能であることを特徴とするサブシステム。
【請求項２２】
さらに第２サブシステムを含み、該第２サブシステムは上記ロッドの前後の軸方向運動が第２サブシステムを作動するのに使用されるように構成されることを特徴とする請求項２１に記載のサブシステム。
【請求項２３】
さらに膜を含み、該膜は所望の作動範囲でシステムの構成要素を移動させることが可能であり、使用者の外部の温度範囲で機能するように選択および適応されることを特徴とする請求項２１に記載のサブシステム。
【請求項２４】
ベローズシステムとダイヤフラムとから構成され、該ダイヤフラムは上記ベローズシステムに伸長制限を提供するように寸法設定されてなることを特徴とする流体機械時計。
【請求項２５】
インバーター／バレルとのインターフェースと、腕時計に組み込まれるのに適した全体的な寸法を有する、周転円的なギヤリング機構および／または平歯車サブシステムを有するシステムとから構成され、上記機構および／またはサブシステムは遊びの少ない伝達システムを有し、遊びは約２０μｍの並進が約４°の回転に確実に変換されるように設計されることを特徴とする流体機械時計。
【請求項２６】
ベローズと、高い熱膨張率を有する流体とから構成されることを特徴とする流体機械時計。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
光線療法用の医療用ドレッシング材であって、
閉塞層と、
閉塞層の中に構成された、複数の量子ドット発光ダイオードと、
閉塞層を被覆する半透明層と、を具え
量子ドット発光ダイオードが、ＣｕＩｎＳ２、ＣｕＩｎＳｅ２、ＣｕＧａＳ２、又はＣｕＧａＳｅ２、又はそれらのドープされた若しくは合金化された誘導体を有する量子ドットを含む、医療用ドレッシング材。
【請求項２】
量子ドット発光ダイオードは、赤色発光量子ドット又は赤外線発光量子ドットを含む、請求項１に記載の医療用ドレッシング材。
【請求項３】
医療用ドレッシング材は、布又は繊維製品である、請求項１に記載の医療用ドレッシング材。
【請求項４】
布又は繊維製品は、包帯、ブランケット、衣料品、スポンジ、圧定布及びラップの何れかである、請求項３に記載の医療用ドレッシング材。
【請求項５】
量子ドットは、コアと、前記コアに形成された１又は２以上のシェル層と、を含む、請求項１に記載の医療用ドレッシング材。
【請求項６】
量子ドット発光ダイオードは、６００〜８５０ｎｍの波長を有する光を発するよう構成された量子ドットを含む、請求項１に記載の医療用ドレッシング材。
【請求項７】
量子ドットは、元素周期表のＩＩＩ族の元素及びＶ族の元素を含む半導体材料をさらに含む、請求項１に記載の医療用ドレッシング材。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
患者の体から生検試料を採取するのを容易にするシステムであって、前記システムは、
ａ．ユーザに画像を表示するディスプレイと、
ｂ．前記ディスプレイと機能的に関連している、画像処理モジュールを備える処理ユニットと、
ｃ．撮像モダリティの撮像探針を備える周知の空間的関係を有し、且つ生検針を備える周知の空間的関係を有する、少なくとも１つの追跡センサと機能的に関連する追跡システムであって、
前記追跡システムが、前記処理ユニットと機能的に関連し、且つ、実質的な現実時間において予め選択された座標に沿って前記少なくとも１つの追跡センサの位置及び方向を含む前記処理ユニットの位置データを提供するように構成される、追跡システムと、及び
ｄ．画像をカメラから前記処理ユニットへ転送するための通信チャネルを介して、前記処理ユニットと機能的に関連するカメラであって、
前記カメラが、前記患者の体から採取した生検試料の画像を取得するように構成される、カメラと、
を備え、
前記処理ユニットは、
前記体の外側から直接見ることができない患者の内部の体の部分の画像を取得することができる撮像モダリティから画像データを受信し、
前記追跡システムから受信した前記撮像探針の位置データと対応する画像位置データを、前記撮像モダリティから受信した画像データに割り当て、
前記追跡システムから受信した前記生検針の位置データと対応する画像位置データを、前記カメラから受信した画像データに割り当て、且つ
生検試料の少なくとも１つの画像から、前記画像処理モジュールを使用して、前記撮像モダリティから受信した画像データと及び前記生検試料と関連する処理画像とを含む結合画像を生成して、前記結合画像をディスプレイ上に表示する、
ように構成される、
システム。
【請求項２】
前記カメラが、スタンドに機械的に取り付けられ、前記スタンドが、前記カメラが前記生検試料に狙いを定めてその生検試料の画像を得ることができるように、前記生検試料を支持するように構成される、請求項１に記載のシステム。
【請求項３】
前記スタンドが、前記カメラが生検針に狙いを定めてその上に載った生検試料の画像を得ることができるように、所定の位置で前記生検針を支持するように構成される、請求項２に記載のシステム。
【請求項４】
前記生検試料に近接して配置される長さスケールをさらに備え、それによって、前記生検試料の画像が、長さスケールを取り入れることができる、請求項１に記載のシステム。
【請求項５】
通信チャネルは、双方向性を有しており、前記カメラから前記処理ユニットに画像を移動させることを可能にし、前記処理ユニットから前記カメラにコマンドを転送することを可能にしている、請求項１に記載のシステム。
【請求項６】
前記撮像モダリティが、超音波検査モジュール、経直腸超音波画像診断探針、磁気共鳴映像化（ＭＲＩ）モジュール及びＸ線撮像モジュールから成る群から選択される少なくとも１つを備える、請求項１に記載のシステム。
【請求項７】
前記処理ユニットが、前記撮像モダリティから受け取った画像データと、前記生検針の場所を指示する合成マークとを含む結合画像を生成するように構成される、請求項１に記載のシステム。
【請求項８】
前記処理ユニットが、撮像モダリティによって提供される画像データを受け取るように構成されている３Ｄモデリングモジュールをさらに備え、前記画像データには、対応する画像位置データが割り当てられ、且つ前記３Ｄモデリングモジュールが、画像位置データが割り当てられる、適切に選択された、臓器の画像データを使用して、前記臓器の仮想３Ｄモデルを作成するようにさらに構成される、請求項１に記載のシステム。
【請求項９】
前記処理ユニットが、前記３Ｄモデリングモジュールによって生成される臓器の仮想３Ｄモデルと、前記生検針の場所を指示する合成マークとを含む結合画像を生成するように構成される、請求項８に記載のシステム。
【請求項１０】
前記処理ユニットが、前記カメラから受け取る生検試料の画像から、生検試料の標識と前記生検針の標識との間の距離を抽出するように構成される、請求項８に記載のシステム。
【請求項１１】
生検試料を処理する方法であって、前記方法は、
撮像モダリティからの画像データを受け取る工程であって、前記画像データが、体の外側から直接見ることができない患者の内部の体の部分の画像と関連する、工程と、
カメラを使用して、生検針によって患者の内部の体の部分から採取した生検試料の画像を取得する工程と、
前記撮像モダリティの撮像探針を備える周知の空間的関係を有する少なくとも１つの追跡センサと機能的に関連する追跡システムを使用して、
（ア）前記追跡システムから受信した前記画像探針の位置データと対応する画像位置データを、前記撮像モダリティから受信した画像データに割り当て、
（イ）前記生検針の位置と対応する画像位置データを、前記カメラから受信した画像データに割り当てる、工程と、及び
前記撮像モダリティから受信した画像データ及び前記生検試料と関連する処理画像を含む結像画像を生成し、且つディスプレイ上に前記結合画像を表示する工程と、
を含む、方法。
【請求項１２】
生検試料の画像を処理して、前記生検試料のマップを取得する工程を含む、請求項１１に記載の方法。
【請求項１３】
前記処理が、その画像上の前記生検試料の境界を識別することを含む、請求項１２に記載の方法。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
局所組織の診断用測定を組織分析の保管データと相関させるコンピュータ実装方法であって、
患者に対して行う１つ以上の局所組織の診断用測定と関連付けた局所組織の診断用データを取得し、
１つ以上の従前の局所組織分析に関連付けた局所組織診断用保管データと組織分析データにアクセスし、
予め選択した類似性判定基準にしたがって、前記１つ以上の局所組織の診断用測定と関連付けた前記局所組織の診断用データと、前記１つ以上の従前の局所組織分析と関連付けた前記局所組織診断用保管データとを比較し、
前記予め選択した類似性判定基準を満たす局所組織の診断用保管データを有する１つ以上の類似する従前の局所組織分析を特定し、
前記１つ以上の類似する従前の局所組織分析と関連付けた組織分析データを提供することと、
２つ以上の類似する従前の局所組織分析を特定し、
予め選択したランク付け判定基準にしたがって、前記類似する従前の局所組織分析に関連付けた前記組織分析データをランク付けすることを含む、コンピュータ実装方法。
【請求項２】
前記局所組織分析は病理データを含む、請求項１に記載の方法。
【請求項３】
前記従前の局所組織分析と関連付けた結果データにアクセスし、前記１つ以上の類似する従前の局所組織分析と関連付けた結果データを提供することをさらに含む、請求項１に記載の方法。
【請求項４】
前記結果データは、時間依存性医療処置データから得られる異常または障害に関連付けた結果データを含む、請求項１に記載の方法。
【請求項５】
前記従前の局所組織分析と関連付けた結果データにアクセスすることをさらに含み、前記ランク付け判定基準は結果に基づく、請求項１に記載の方法。
【請求項６】
前記１つ以上の記類似する従前の局所組織分析に関連付けた前記組織分析データを、前記従前の局所組織分析を行った医療施設によりランク付けする、請求項１に記載の方法。
【請求項７】
１つ以上の類似する従前の局所組織分析と関連付けた局所組織診断用保管データを提供することをさらに含む、請求項１に記載の方法。
【請求項８】
前記局所組織分析の１つ以上を局所診断用測定と関連付ける、請求項１に記載の方法。
【請求項９】
前記診断用測定を組織サンプルに対して生体外で行う、請求項８に記載の方法。
【請求項１０】
前記診断用測定に関連付けた診断様式が、光学様式、光学撮像様式、ラマン分光、またはハイパースペクトル分析から選ばれる、請求項９に記載の方法。
【請求項１１】
前記患者に関する追加情報を取得し、前記１つ以上の従前の局所組織分析に関連付けた複数の患者に関連する対応追加情報にアクセスすることをさらに含み、前記予め選択した類似性判定基準は前記追加情報に関連付けた判定基準をさらに含む、請求項１に記載の方法。
【請求項１２】
前記追加情報が、個体群統計情報、遺伝子情報、既往歴情報のいずれかから選ばれるものである、請求項１１に記載の方法。
【請求項１３】
前記従前の局所組織分析の１つ以上は前記患者に関連付けられている、請求項１に記載の方法。
【請求項１４】
前記局所組織診断用保管データと組織分析データをデータベースから取得する、請求項１に記載の方法。
【請求項１５】
前記データベースは、前記類似する従前の局所組織分析の１つ以上に関連付けた従前の位置データをさらに含み、前記従前の位置データは、所定の方向を有する患者参照フレームに空間的に位置合わせされ、
前記患者の少なくとも一部位の医用画像を取得して前記医用画像をユーザーインターフェースに表示し、
関連付けた従前の位置データをもつ類似する従前の局所組織分析の各々に対して、前記従前の位置データを前記医用画像に空間的に位置合わせし、
前記類似する従前の局所組織分析に関連付けた参照マーカを表示することをさらに含む、請求項１に記載の方法。
【請求項１６】
関連付けた従前の位置データをもつ少なくとも１つの従前の局所組織分析は前記患者に関する、請求項１５に記載の方法。
【請求項１７】
１つ以上の従前の医療処置による手術計画の保管データに基づいて、手術計画の１つ以上のステップを提案するコンピュータ実装方法であって、
患者に関連付けた組織分析データを取得し、
１つ以上の従前の医療処置に関連付けた組織分析の保管データにアクセスし、
前記１つ以上の従前の医療処置に関連付けた手術計画データにアクセスし、
予め選択した類似性判定基準にしたがって、前記１つ以上の従前の医療処置に関連付けた前記組織分析の保管データと前記組織同定データを比較し、
前記予め選択した類似性判定基準を満たす組織分析の保管データを有する１つ以上の類似する従前の医療処置を特定し、
前記１つ以上の類似する従前の医療処置に関連付けた前記手術計画データを処理することで、提案手術計画の１つ以上のステップを作成し、
前記提案手術計画の１つ以上のステップを通知することを含む、方法。
【請求項１８】
前記患者に関連付けた前記組織分析データは１つ以上の腫瘍種を含む、請求項１７に記載の方法。
【請求項１９】
前記患者に関連付けた前記組織分析データは疑われる腫瘍病期を含む、請求項１８に記載の方法。
【請求項２０】
前記患者に関連付けた前記病理データが、腫瘍位置データ、腫瘍サイズデータ、腫瘍硬度データ、腫瘍と１つ以上の解剖学的構造との間の近接に関するデータ、から選択されるいずれかのデータを含む、請求項１８に記載の方法。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
人間の心臓の部位を識別するシステムにおいて、前記部位は、前記人間の心臓の心調律異常のソースをコントロールするものに関連付けられ、前記システムが、
処理装置と、
複数の命令を記憶するメモリ装置であって、前記命令は、前記処理装置によって実行されると、前記処理装置に、
前記心臓の前記部位に関連して空間的に配置されるセンサに関連付けられた複数の心臓信号を処理することであって、それにより、時間間隔にわたる前記センサに関連する少なくとも１つの活性化シーケンスを特定する、処理することと、
前記少なくとも１つの活性化シーケンスの回転方向を特定することと、
前記少なくとも１つの活性化シーケンスが、前記時間期間にわたり、前記回転方向に回転し続ける場合、前記心臓の前記部位を前記ソースをコントロールするものに関連付けられるものとして識別することと、
を含む動作を実行させる、メモリ装置と、
備えることを特徴とするシステム。
【請求項２】
請求項１に記載のシステムにおいて、前記センサが、前記心臓の前記部位の頂点を定義することを特徴とするシステム。
【請求項３】
請求項１に記載のシステムにおいて、前記部位が、前記頂点によって画定される前記心臓の複数の部位を含み、前記複数の部位が、前記心調律異常の前記ソースをコントロールするものに関連付けられることを特徴とするシステム。
【請求項４】
請求項３に記載のシステムにおいて、前記心臓の前記部位のうちの１つ又は複数が、ロータを形成することを特徴とするシステム。
【請求項５】
請求項１に記載のシステムにおいて、前記回転方向が、時計回り及び反時計回りのうちの一方であることを特徴とするシステム。
【請求項６】
請求項１に記載のシステムにおいて、前記動作は、前記ソースを制御するものとして、前記心臓の前記部位に関連付けられたインジケータを生成することを更に含むことを特徴とするシステム。
【請求項７】
請求項６に記載のシステムにおいて、前記動作が、前記インジケータを、前記心臓の前記部位に関連して空間的に配置される前記センサに対応させることを更に含むことを特徴とするシステム。
【請求項８】
請求項７に記載のシステムにおいて、前記動作が、前記複数の心臓信号の表現上に前記インジケータを重ねることを更に含むことを特徴とするシステム。
【請求項９】
請求項８に記載のシステムにおいて、前記動作が、前記複数の心臓信号の前記表現上に重ねられるものとして、前記インジケータを表示することを更に含むことを特徴とするシステム。
【請求項１０】
請求項９に記載のシステムにおいて、前記複数の心臓信号の前記表現は、単相性活動電位表現であることを特徴とするシステム。
【請求項１１】
請求項１に記載のシステムにおいて、前記少なくとも１つの活性化シーケンスの前記回転方向を特定する動作が、
前記時間間隔にわたる前記センサに関連する前記少なくとも１つのシーケンスの回転の弧を特定することと、
前記回転の弧の回転方向を特定することと、
を含むことを特徴とするシステム。
【請求項１２】
請求項１１に記載のシステムにおいて、前記ソースをコントロールするものに関連付けられたものとして前記心臓の前記部位を識別する動作が、前記回転の弧の前記回転方向が、閾値を超えて前記回転方向であり続けると判断することを含むことを特徴とするシステム。
【請求項１３】
請求項１１に記載のシステムにおいて、前記回転の弧の回転方向を特定する動作が、
前記複数の心臓信号から、第１の心臓信号及び第２の心臓信号を選択することと、
前記時間間隔中の複数の時点での前記第１の心臓信号及び前記第２の心臓信号の間での回転活動のインデックスを特定することと、
前記回転活動のインデックスを結合することであって、それにより、前記回転の弧の前記回転方向を特定する、結合することと、
を含む
ことを特徴とするシステム。
【請求項１４】
請求項１３に記載のシステムにおいて、前記回転活動のインデックスを特定する動作が、
前記時間間隔の時点での前記第１の心臓信号及び前記第２の心臓信号間の位相差を計算することと、
前記位相差が第１の位相閾値以下であるかどうか、又は前記位相差が第２の位相閾値よりも大きいかどうかを判断することと、
前記位相差が前記第１の位相閾値以下である場合、位相値だけ前記位相差を増分することと、
前記位相差が前記第２の位相閾値よりも大きい場合、前記位相値だけ前記位相差を減分することと、
を含むことを特徴とするシステム。
【請求項１５】
請求項１４に記載のシステムにおいて、前記回転活動のインデックスを結合する動作が、前記時間間隔の前記複数の時点において、増分又は減分された計算位相差を合算することを含むことを特徴とするシステム。
【請求項１６】
請求項１に記載のシステムにおいて、前記動作は、
複数の時間間隔にわたり、処理すること、特定すること、及び識別することを実行することと、
前記少なくとも１つの活性化シーケンスが、前記複数の時間間隔にわたり前記回転方向に回転し続ける場合、前記ソースをコントロールするものとして識別された部位の持続性を特定することと、
を更に含むことを特徴とするシステム。
【請求項１７】
請求項１６に記載のシステムにおいて、前記動作が、前記ソースをコントロールするものとして識別された部位の前記持続性に関連付けられたインジケータを生成することを更に含むことを特徴とするシステム。
【請求項１８】
請求項１７に記載のシステムにおいて、前記動作が、前記インジケータを、前記心臓の前記部位に関連して空間的に配置される前記センサに対応させることを更に含むことを特徴とするシステム。
【請求項１９】
請求項１８に記載のシステムにおいて、前記インジケータを、前記心臓の前記部位に関連して空間的に配置される前記センサに対応させる動作が、前記複数の時間間隔に関連付けられた前記複数の心臓信号の表現上に前記インジケータを重ねることを含むことを特徴とするシステム。
【請求項２０】
請求項１９に記載のシステムにおいて、前記動作が、前記複数の心臓信号の前記表現上に重ねられるものとして、前記インジケータを表示することを更に含むことを特徴とするシステム。
【請求項２１】
請求項１９に記載のシステムにおいて、前記複数の心臓信号の前記表現が、単相性活動電位表現であることを特徴とするシステム。
【請求項２２】
人間の心臓の心調律異常に関連付けられたソースの原因要因を定義するシステムにおいて、
処理装置と、
複数の命令を記憶するメモリ装置であって、前記命令は、前記処理装置によって実行されると、前記処理装置に、
前記心臓の前記部位に関連して空間的に配置されるセンサに関連付けられた複数の心臓信号を処理することであって、それにより、時間間隔にわたる前記センサに関連する回転弧シーケンスを特定する、処理することと、
前記回転弧シーケンスの回転方向を特定することと、
前記回転弧シーケンスの前記回転方向が、閾値を超えて同じ回転方向であり続ける場合、前記心臓の前記部位を前記ソースの原因要因として識別することと、
を含む動作を実行させる、メモリ装置と、
を備えることを特徴とするシステム。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
オリゴ糖組成物を産生する方法であって、
ＵＤＰ−ＧｌｃＮＡｃ残基の末端マンノース残基への転移を触媒する１つまたは複数のＮ−アセチルグルコサミニルトランスフェラーゼ酵素活性（ＥＣ２．４．１．１０１；ＥＣ２．４．１．１４３；ＥＣ２．４．１．１４５；ＥＣ２．４．１．１５５；ＥＣ２．４．１．２０１）を発現するように前記末端マンノース残基を有するオリゴ糖組成物を産生する組換え原核宿主細胞を培養するステップであって、末端ＧｌｃＮＡｃ残基を有するオリゴ糖組成物を産生するのに有効な条件下で実施される、ステップ
を含む、方法。
【請求項２】
ＵＤＰ−ＧｌｃＮＡｃ残基の末端マンノース残基への転移を触媒する１つまたは複数のＮ−アセチルグルコサミニルトランスフェラーゼ酵素活性（ＥＣ２．４．１．１０１；ＥＣ２．４．１．１４３；ＥＣ２．４．１．１４５；ＥＣ２．４．１．１５５；ＥＣ２．４．１．２０１）を含む前記末端マンノース残基を有するオリゴ糖組成物を産生する組換え原核宿主細胞であって、末端ＧｌｃＮＡｃ残基を有するオリゴ糖組成物を産生する、宿主細胞。
【請求項３】
高マンノース型のオリゴ糖組成物を産生する方法であって、ＧＤＰ−マンノース残基の末端マンノース残基への転移を触媒する１つまたは複数のアルファ−１，２−マンノシルトランスフェラーゼ酵素活性（ＥＣ２．４．１．−）を発現するように末端マンノース残基を有するオリゴ糖組成物を産生する組換え原核宿主細胞を培養するステップを含み、前記培養するステップが、末端マンノース残基を有するオリゴ糖組成物を産生するのに有効な条件下で実施される、方法。
【請求項４】
ａ）１つまたは複数の真核生物ＵＤＰ−ＧｌｃＮＡｃトランスフェラーゼ酵素活性（ＥＣ２．４．１．１４１またはＥＣ２．４．１．１４５）、ｂ）１つまたは複数の真核生物マンノシルトランスフェラーゼ酵素活性（ＥＣ２．４．１．１４２、ＥＣ２．４．１．１３２）、およびｃ）ＧＤＰ−マンノース残基のトリマンノースオリゴ糖組成物への転移を触媒する１つまたは複数のアルファ−１，２−マンノシルトランスフェラーゼ酵素活性（ＥＣ２．４．１．−））を含む、高マンノース型のオリゴ糖組成物を産生する組換え原核宿主細胞。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
マルチバレル押出システム（１）であって、
ａ．一次押出機（１０）と、
ｂ．複数の衛星押出機（３０Ａ、３０Ｂ、３０Ｃ、３０Ｄ）と、
ｃ．バレル（１２、３１Ａ、３１Ｂ、３１Ｃ、３１Ｄ）内に軸方向に回転可能なスクリュー（１５、２８）を有し、材料をバレル入口（１３、３５）から前記バレルを通ってバレル出口（１４、３６）から出るように移動させるように構成された各押出機と、
ｄ．前記一次押出機（１０）と複数の衛星押出機（３０Ａ、３０Ｂ、３０Ｃ、３０Ｄ）を相互接続する多岐管（２４）であって、該多岐管は、入口（２３）及び複数の分離した出口（２５）を有し、前記一次押出機（１０）の前記バレル出口（１４）を通過する前記材料を複数の分離した材料流に分離するように機能することが出来、各分離した材料流は前記多岐管出口（２５）の１つを通って前記衛星押出機（３０Ａ、３０Ｂ、３０Ｃ、３０Ｄ）の入口（３５）へ移動する多岐管（２４）と、
を備えるマルチバレル押出システム（１）。
【請求項２】
澱粉含有ペットフードにおける澱粉糊化を増大する方法であって、
ａ．マルチ押出装置（１）であって、該マルチ押出装置（１）は、
一次押出機（１０）及び複数の衛星押出機（３０Ａ、３０Ｂ、３０Ｃ、３０Ｄ）を備え、各押出機は、バレル（１２、３１Ａ、３１Ｂ、３１Ｃ、３１Ｄ）内に軸方向に回転可能なスクリュー（１５、２８）を有し、材料をバレル入口（１３、３５）から前記バレルを通ってバレル出口（１４、３６）から出るように移動させるように構成され、多岐管（２４）を含み、該多岐管（２４）は、入口（２３）及び複数の分離した出口（２５）を有し、前記一次押出機の前記バレル出口（１４）を通過する前記材料を複数の分離した材料流に分離するように動作することが出来、各分離した材料流は前記多岐管出口（２５）の１つを通って前記衛星押出機（３０Ａ、３０Ｂ、３０Ｃ、３０Ｄ）の入口（３５）へ移動する、
押出装置を提供するステップと、
ｂ．澱粉含有ペットフード混合物を前記一次押出機（１０）からの押出によって加工するステップと、
ｃ．次に、複数の分離した材料流を形成するために前記押し出された澱粉含有混合物を前記多岐管（２４）に通し、前記分離した材料流の夫々を前記衛星押出機（３０Ａ、３０Ｂ、３０Ｃ、３０Ｄ）の内の１つの入口（３５）内へ向かわせるステップと、
ｄ．個々の前記衛星押出機（３０Ａ、３０Ｂ、３０Ｃ、３０Ｄ）からの押出によって前記材料流を加工するステップと、
を有してなる方法。
【請求項３】
前記衛星押出機（３０Ａ、３０Ｂ、３０Ｃ、３０Ｄ）の少なくとも１つに温度の影響を受けやすい原料が添加される請求項２記載の方法。
【請求項４】
前記温度の影響を受けやすい原料の生物学的利用能は、前記最終的な押出製品において、単一の押出機において加工された最終的な押出製品と比較して増大する請求項２記載の方法。
【請求項５】
少なくとも１つの前記衛星押出機（３０Ａ、３０Ｂ、３０Ｃ、３０Ｄ）内の前記せん断条件は、前記一次押出機（１０）内の前記せん断条件とは異なる請求項２記載の方法。
【請求項６】
１つ以上の水和競合成分は、前記複数の分離された材料流の少なくとも１つには添加されるが、前記一次押出機（１０）における前記澱粉含有混合物には添加されない請求項２記載の方法。
【請求項７】
１つ以上のせん断の影響を受けやすい原料は、前記複数の分離した材料流の少なくとも１つには添加されるが、前記一次押出機（１０）における前記澱粉含有混合物には添加されない請求項２記載の方法。
【請求項８】
ａ．ある時間に渡ってある温度で前記一次押出機（１０）による押出によって前記澱粉含有混合物を加工するステップと、
ｂ．より長い時間に渡る低下させた温度での前記複数の衛星押出機（３０Ａ、３０Ｂ、３０Ｃ、３０Ｄ）の１つからの押出によって前記複数の分離した材料流の少なくとも１つを加工するステップと、
を更に含む請求項２から７いずれか１項記載の方法。
【請求項９】
ａ．ある速度で前記一次押出機の前記スクリュー（１５）を稼働するステップと、
ｂ．低減させた速度で前記複数の衛星押出機の１つの前記スクリュー（２８）の少なくとも１つを稼働するステップと、
を更に含む請求項２から７いずれか１項記載の方法。
【請求項１０】
単一の食用混合物から複数の押出食品製品を製造する方法であって、
ａ．押出装置（１）であって、該押出装置（１）は、
一次押出機（１０）及び複数の衛星押出機（３０Ａ、３０Ｂ、３０Ｃ、３０Ｄ）を備え、各押出機は、バレル（１２、３１Ａ、３１Ｂ、３１Ｃ、３１Ｄ）内に軸方向に回転可能なスクリュー（１５、２８）を有し、材料をバレル入口（１３、３５）から前記バレルを通ってバレル出口（１４、３６）から出るように移動させるように構成され、
多岐管（２４）を備え、該多岐管（２４）は、入口（２３）及び複数の分離した出口（２５）を有し、前記一次押出機の前記バレル出口（１４）を通過する前記材料を複数の分離した材料流に分離するように動作することが出来、各分離した材料流は前記多岐管出口（２５）の１つを通って前記衛星押出機（３０Ａ、３０Ｂ、３０Ｃ、３０Ｄ）の入口（３５）へ移動する、
押出装置を提供するステップと、
ｂ．前記食用混合物を前記一次押出機（１０）からの押出によって加工するステップと、
ｃ．次に、複数の分離した材料流を形成するために前記押し出された食用混合物を前記多岐管（２４）に通し、前記分離した材料流を前記衛星押出機の内の１つの入口（３５）へ通すステップと、
ｄ．複数の押出食品を形成するために個々の前記衛星押出機（３０Ａ、３０Ｂ、３０Ｃ、３０Ｄ）において前記材料流を加工するステップと、
を有してなる方法。
【請求項１１】
個々の前記衛星押出機（３０Ａ、３０Ｂ、３０Ｃ、３０Ｄ）から押し出された前記複数の製品を結合し、前記複数の製品を乾燥又は仕上げ装置に移動させることによって該押出製品に更なる乾燥又は仕上げステップを更に含む請求項１０記載の方法。
【請求項１２】
前記衛星押出機（３０Ａ、３０Ｂ、３０Ｃ、３０Ｄ）の内の少なくとも二つの前記衛星押出機（３０Ａ、３０Ｂ、３０Ｃ、３０Ｄ）から押し出された前記複数の製品を結合し、前記複数の製品を乾燥又は仕上げ装置に移動させることによって該押出製品に対して更なる乾燥又は仕上げステップを更に含む請求項１０記載の方法。
【請求項１３】
個々の前記衛星押出機（３０Ａ、３０Ｂ、３０Ｃ、３０Ｄ）から押し出された前記製品を夫々の個別の乾燥又は仕上げ装置に移動させることによって該押出製品に更なる乾燥する又は仕上げるステップを更に含む請求項１０記載の方法。
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
［ａ］フレームと、
［ｂ］単数又は複数の点滴潅漑パイプと、
［ｃ］単数又は複数の排水パイプと、
［ｄ］ドレン・トレイと、さらにオプションとして
［ｅ］複数のポット又は植物コンテナとを備え、
前記フレームは、
［ｉ］支持壁／フレームワークにねじ込まれるネジを挿入するための複数の孔（１）と、
［ｉｉ］複数のポットがスナップイン及びスナップアウトができる空洞（２）と、
［ｉｉｉ］前記複数のポットが良好な係留を得るための各空洞における支持部材（３）と、
［ｉｖ］水平方向灌漑パイプを保持するためのクリップが内部に固定可能な、各空洞の上方にある小さな複数の孔（４）と、
［ｖ］前記フレームの底において前記ドレン・トレイ（７）を挿入するための１つの大きな孔（５）と、
［ｖｉ］前記排水パイプ（６）が固定可能な、各フレームの後側にある空洞と、
を備えた、拡張性がある垂直ガーデンシステム。
【請求項２】
前記排水パイプ（６）は、接合コネクタ（８）を用いて、前記ドレン・トレイ（７）に接続されている、請求項１に記載の拡張性がある垂直ガーデンシステム。
【請求項３】
前記接合コネクタは「Ｔ」又は「Ｌ」形状の接合コネクタである、請求項２に記載の拡張性がある垂直ガーデンシステム。
【請求項４】
前記ドレン・トレイ（７）は３個に１個の空洞に固定されている、請求項１〜３のいずれかに記載の拡張性がある垂直ガーデンシステム。
【請求項５】
前記フレームは、オプションとして、複数のクリップが前記垂直灌漑パイプを支持するために固定可能である、側方垂直サポートを有している、請求項１〜４のいずれかに記載の拡張性がある垂直ガーデンシステム。
【請求項６】
前記フレームは、互いに並んで及び／又は一つが他の頂部に固定可能である、請求項１〜５のいずれかに記載の拡張性がある垂直ガーデンシステム。
【請求項７】
各ポット又は植物コンテナは、点滴潅漑ライン（９）の上に固定された複数のドリッパーによってドリップ潅漑をされ、それによりポットごとに水の供給を規制する、請求項１〜６のいずれかに記載の拡張性がある垂直ガーデンシステム。
【請求項８】
前記潅漑ラインは、自動及び／又は手動システムによって規制可能である、請求項１〜７のいずれかに記載の拡張性がある垂直ガーデンシステム。
【請求項９】
前記フレームは、
［ｉ］支持壁／フレームワーク内にねじ込まれるネジのための４つの孔（１）と、
［ｉｉ］前記複数のポット又は植物コンテナがスナップイン及びスナップアウト可能な３つの大きな空洞（２）と、
［ｉｉｉ］係留を得るために、前記複数のポットための空洞内での４つの支持部材（３）と、
［ｉｖ］前記水平方向潅漑パイプを保持するためのクリップをその中で保持可能な２つの小さな孔（４）と、
［ｖ］前記ドレン・トレイ（７）を挿入するための１つの大きな孔（５）と、
［ｖｉ］前記排水パイプ（６）が固定可能な各フレームの後側の空洞、請求項１〜８のいずれかに記載の拡張性がある垂直ガーデンシステム。
【請求項１０】
前記システムは鉛直方向に及び／又は水平方向に拡張可能である、請求項１に記載の拡張性がある垂直ガーデンシステム。
【請求項１１】
請求項１〜１０のいずれかに記載の前記垂直ガーデンシステムを備えたプランテーションの方法。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
対象から呼吸信号を決定する装置であって、
撮像野において対象から決定される画像データを受信する受信ユニットと、
前記画像データを評価する処理ユニットであって、運動パターンに基づき前記撮像野の複数の異なる領域から前記対象のバイタルサイン情報に対応する複数の異なる交流信号を決定するよう構成され、前記画像データにおける複数の画像セクションを規定し、運動パターン検出に基づき、各々の前記画像セクションから前記バイタルサイン情報に対応する１つの交流信号を決定するよう構成される、処理ユニットと、
前記異なる交流信号を評価し、前記撮像野の前記異なる領域から決定される前記異なる交流信号に基づき、前記対象から複数の異なる呼吸信号を決定する評価ユニットと、
前記異なる画像セクションから決定される前記交流信号のスペクトルパラメータを決定する周波数分析ユニットと、
前記異なる呼吸信号を決定するため、前記異なる領域として前記スペクトルパラメータに基づき、異なる画像セクションを選択する選択ユニットとを有する、装置。
【請求項２】
前記処理ユニットが、前記画像データにおける画像セクションのアレイとして前記異なる画像セクションを規定するよう構成される、請求項１に記載の装置。
【請求項３】
前記スペクトルパラメータが、前記交流信号のスペクトルエネルギーである、請求項１に記載の装置。
【請求項４】
前記交流信号の所定の周波数帯域の前記スペクトルエネルギーが閾値レベルを超える場合、前記選択ユニットが、前記画像セクションを選択するよう構成される、請求項３に記載の装置。
【請求項５】
前記異なる呼吸信号が、前記対象の異なる部分から得られる運動ベクトルに基づき決定される、請求項１に記載の装置。
【請求項６】
前記評価ユニットが、前記対象の追加的な呼吸情報として前記異なる呼吸信号の信号差を決定するよう構成される、請求項１に記載の装置。
【請求項７】
前記評価ユニットが、前記異なる呼吸信号のフェーズシフトを決定し、前記決定されたフェーズシフトを考慮して、前記異なる呼吸を１つの一般的な呼吸信号へと結合するよう構成される、請求項１に記載の装置。
【請求項８】
前記評価ユニットが、前記対象の空間的な呼吸マップを提供するため、前記異なる画像セクションから得られる前記異なる呼吸信号に基づき、呼吸信号のアレイを決定するよう構成される、請求項１に記載の装置。
【請求項９】
前記選択ユニットが、各々の前記選択された異なる画像セクションに対する重み係数を決定するよう構成され、前記評価ユニットは、前記個別の重み係数を用いて重み付けされる前記選択された画像セクションの前記交流信号に基づき、前記異なる呼吸信号を決定するよう構成される、請求項１に記載の装置。
【請求項１０】
前記選択ユニットが、定期的に前記選択を実行するよう構成され、前記選択された画像セクションの各々に関する前記重み係数は、前記個別の画像セクションの選択の周波数に基づき決定される、請求項９に記載の装置。
【請求項１１】
対象から呼吸信号を決定する方法において、
撮像野において前記対象から決定される画像データを受信するステップと、
前記画像データを評価するステップと、
運動パターンに基づき、前記撮像野の異なる領域から前記対象のバイタルサイン情報に対応する複数の異なる交流信号を決定するステップと、
前記異なる交流信号を評価するステップと、
前記交流信号のスペクトルパラメータを決定するステップと、
前記異なる領域として前記スペクトルパラメータに基づき、異なる画像セクションを選択するステップと、
前記撮像野の異なる領域から決定される前記異なる交流信号に基づき、前記対象から複数の異なる呼吸信号を決定するステップとを有する、方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
（ａ）微小胞を含有する生体液を得るステップ；
（ｂ）細胞デブリを除去するために生体液を清澄化するステップ；
（ｃ）清澄化された生体液にカルシウムイオン、マグネシウムイオン、ナトリウムイオン、アンモニウムイオン、鉄イオン、硫酸アンモニウム、アルギネート、およびポリエチレングリコールからなる群から選択される沈殿剤を追加することによって、微小胞を沈殿させるステップ；
（ｄ）沈殿した微小胞を収集するステップ；
（ｅ）沈殿剤を除去するために沈殿した微小胞を洗浄するステップ；および
（ｆ）所望により、保存またはその後の使用のために、該微小胞を溶液中に懸濁し、微小胞の単離調製物を産生するステップ
を含む方法。
【請求項２】
血管新生を促進するまたは増強する；および／または
神経細胞再生を促進するまたは増強する；および／または
細胞の増殖を促進するまたは増強する；および／または
細胞の遊走を促進するまたは増強する；および／または
創傷治癒を促進するまたは増強する、
請求項１に記載の方法によって調製された微小胞の単離調製物。
【請求項３】
瘢痕形成を低下させるおよび／またはしわ形成を低下させる、請求項１に記載の方法によって調製された微小胞の単離調製物。
【請求項４】
内胚葉由来組織、外胚葉由来組織、中胚葉由来組織、血管組織および付属器構造からなる群から選択される、病気の、損傷を与えられた、または欠けている皮膚を有する対象における少なくとも１つの組織を再生することができる、請求項１に記載の方法によって調製された微小胞の単離調製物。
【請求項５】
対象の免疫系を調整するために使用される、請求項１に記載の方法によって調製された微小胞の単離調製物。
【請求項６】
ポリエチレングリコールの平均分子量が６，０００Ｄａ、８，０００Ｄａまたは１０，０００Ｄａである、請求項１に記載の方法。
【請求項７】
沈殿した微小胞が遠心分離法によって収集される、請求項１に記載の方法。
【請求項８】
沈殿した微小胞がろ過によって収集される、請求項１に記載の方法。
【請求項９】
生体液が、末梢血、血清、血漿、腹水、尿、脳脊髄液（ＣＳＦ）、痰、唾液、骨髄、滑液、眼房水、羊水、耳垢、母乳、気管支肺胞洗浄液、精液（前立腺液を含む）、カウパー腺液、尿道球腺液（ｐｒｅ−ｅｊａｃｕｌａｔｏｒｙ  ｆｌｕｉｄ）、女性の射精液、汗、糞便、毛、涙、嚢胞体液、胸膜液、腹膜滲出液、囲心腔液、リンパ液、び汁、乳び、胆汁、間質液、月経分泌物、膿、皮脂、嘔吐物、膣分泌物、粘膜の分泌物、水様便（ｓｔｏｏｌ  ｗａｔｅｒ）、膵液、洗浄液、細胞または組織サンプル由来の液体、細胞培養液、および培養細胞由来の液体からなる群から選択される、請求項１に記載の方法。
【請求項１０】
ろ過が、約１００ｋＤａの分子量カットオフを有するまたは約０．０１μＭのポアサイズを有するフィルターを使用することを含む、請求項８に記載の方法。
【請求項１１】
単離された微小胞が約２ｎｍ〜約５，０００ｎｍの範囲にわたる、請求項１に記載の方法。
【請求項１２】
単離された微小胞が、免疫親和性、ＨＰＬＣ、タンジェンシャルフローろ過、相分離、相分割、およびマイクロフルイディクスからなる群から選択される１つ以上の方法を使用してさらに精製される、請求項１に記載の方法。
【請求項１３】
単離された微小胞が有意な炎症応答を引き起こさない、および／または単離された微小胞が免疫抑制性である、請求項２に記載の調製物。
【請求項１４】
病気の、損傷を与えられた、または欠けている皮膚を有する対象に投与されるとき、上皮組織、間質性組織、神経組織、血管組織、および付属器構造からなる群から選択される少なくとも１つの組織の再生を促進する、請求項２に記載の調製物。
【請求項１５】
単離された微小胞が、エキソソーム、エクトソーム（ｅｃｔｏｓｏｍｅ）、微粒子、ナノ小胞（ｎａｎｏｖｅｓｉｃｌｅ）、脱粒小胞（ｓｈｅｄｄｉｎｇ  ｖｅｓｉｃｌｅ）、アポトーシス小体および膜粒子の１つまたは任意の組合せを含む、請求項１に記載の方法。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
手術用器具であって、当該手術用器具は：
シャフトと；
該シャフトに接続されるエンドエフェクタと；
頭部を有する押込／引抜駆動要素であって、前記頭部は、前記押込／引抜駆動要素の押込／引抜方向に対して垂直に延びる、押込／引抜駆動要素と；を備えており、
前記押込／引抜駆動要素の頭部は、端部を有しており、各端部は、前記端部同士の間に前記頭部の主要部の断面とは異なる断面を有する、
手術用器具。
【請求項２】
対向する溝を含むクレビスをさらに備えており、前記押込／引抜駆動要素の各端部は、対応する溝内に摺動可能に受容される、
請求項１に記載の手術用器具。
【請求項３】
各端部は、前記端部が受容される前記溝の側壁に係合する少なくとも１つの平面部を含む、
請求項２に記載の手術用器具。
【請求項４】
前記端部は、それぞれ、非円形断面を有する、
請求項１乃至３のいずれか一項に記載の手術用器具。
【請求項５】
前記端部は、正方形の断面を有する、
請求項４に記載の手術用器具。
【請求項６】
前記端部は、矩形断面を有する、
請求項４に記載の手術用器具。
【請求項７】
各端部は、前記端部の反対側に２つの平面部を含み、
前記平面部の第１面は、前記端部が受容される前記溝の第１の側壁と係合し、
前記平面部の第２面は、前記端部が受容される前記溝の第２の側壁と係合する、
請求項２又は３に記載の手術用器具。
【請求項８】
前記端部は、それぞれ、丸みを帯びた端部を含む楕円断面を有する、
請求項４に記載の手術用器具。
【請求項９】
前記シャフトに接続されるエンドエフェクタをさらに備えており、
前記押込／引抜駆動要素の前記頭部は、係合部を含み、
前記係合部は、前記エンドエフェクタと接触して、該エンドエフェクタを作動させ、
前記端部の幅は、前記係合部の幅よりも大きい、
請求項１に記載の手術用器具。
【請求項１０】
前記クレビスは、プラスチックで作製される、
請求項２又は３に記載の手術用器具。
【請求項１１】
前記押込／引抜駆動要素は、電気絶縁材料をさらに含む、
請求項１乃至３のいずれか一項に記載の手術用器具。